(57)【要約】【課題】無線装置本体の一体化および装置の小型化が可能となる無線通信装置を提供することを目的とする。【解決手段】無線通信電源５を搭載した無線通信装置本体１１を無線通信アンテナ１の内部に組み込んでいるものである。これによって、無線通信電源５の配線が不要となり、無線装置の一体化および装置の小型化が可能となる。【選択図】図１
2006345140.tif 000002
【特許請求の範囲】
【請求項１】
無線送信する信号を制御する無線送信制御部と、受信した信号を制御する無線受信制御部と、無線通信電源とを搭載した無線通信装置本体と、無線信号を送信および受信する無線通信アンテナとを備え、前記無線装置本体は、前記無線通信アンテナの内部に組み込まれている無線通信装置。
【請求項２】
無線通信電源は、無線装置本体に対して着脱可能とする請求項１に記載の無線通信装置。
【請求項３】
無線通信電源の電気量を表示するようにした請求項１または２に記載の無線通信装置。
【発明の詳細な説明】
【技術分野】
【０００１】
本発明は、無線装置や特定小電力無線装置に用いられる無線通信装置に関するものである。
【背景技術】
【０００２】
従来、この種の無線通信装置では、無線装置本体とは別に外部に無線装置の電源を備えている（例えば、特許文献１参照）。
【特許文献１】特開２００３−８４６３号公報
【発明の開示】
【発明が解決しようとする課題】
【０００３】
しかしながら、前記従来の構成では、無線装置本体と、無線装置本体への電源供給部の少なくとも２つの設置および設置スペースが必要となる。また、無線通信装置の小型化においてもスペースを要するために困難になっている。
【０００４】
本発明は、前記従来の課題を解決するもので、無線装置本体の一体化および装置の小型化が可能となる無線通信装置を提供することを目的とする。
【課題を解決するための手段】
【０００５】
前記従来の課題を解決するために、本発明の無線通信装置は、無線通信電源を搭載した無線通信装置本体を無線通信アンテナの内部に組み込んでいるものである。
【０００６】
これによって、無線通信電源の配線が不要となり、無線装置本体の一体化および装置の小型化が可能となる。
【発明の効果】
【０００７】
本発明の無線通信装置は、無線通信電源の配線が不要となり、無線装置本体の一体化および装置の小型化が可能となる。
【発明を実施するための最良の形態】
【０００８】
第１の発明は、無線送信する信号を制御する無線送信制御部と、受信した信号を制御する無線受信制御部と、無線通信電源とを搭載した無線通信装置本体と、無線信号を送信および受信する無線通信アンテナとを備え、前記無線装置本体は、前記無線通信アンテナの内部に組み込まれている無線通信装置とすることにより、無線通信電源の配線が不要となり、無線装置本体の一体化および装置の小型化が可能となる。
【０００９】
第２の発明は、第１の発明において、無線通信電源は、無線装置本体に対して着脱可能とすることにより、無線通信電源の電池電源電圧低下時に電池交換により無線通信装置が使用可能とすることができる。
【００１０】
第３の発明は、第１または第２の発明において、無線通信電源の電気量を表示するようにしたことにより、電池電源電圧低下により無線通信ができなくなる前に電池交換を可能とすることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における無線通信装置を示すものである。
【００１３】
図に示すように、本実施の形態における無線通信装置は、無線信号を送信および受信する無線通信アンテナ１と、無線通信アンテナ１の内部に組み込まれている無線通信装置本体１１とを備えている。無線装置本体１１は、無線通信アンテナと接続している無線通信アンテナ送受信切替部２、無線通信アンテナ１から受信した電波信号を、無線通信アンテナ送受信切替部２を通して入力し信号の内容を解析制御する無線受信制御部３、無線送信する信号を、無線通信アンテナ送受信切替部２を介して無線通信アンテナ１から送信する無線送信制御部４、無線受信制御部３と無線送信制御部４への電源供給を行う無線通信電源５とを備えている。
【００１４】
この無線通信装置は、例えば、無線通信の中継器であって、宅内の無線システムにおいて、無線電波が届かない場合の無線通信の中継器として、天井など目立たない場所に設置されている。
【００１５】
そして、無線通信機器９が無線通信機器１０へ送信した電波信号を、無線通信アンテナ１から無線通信アンテナ送受信切替部２を通して無線受信制御部３へ入力する。無線受信制御部３は入力した信号の内容を無線送信制御部４へ転送する。無線送信制御部４は、無線受信制御部３から転送した信号の内容を受信し、受信した信号の内容を無線送信する信号に変換して前記無線通信アンテナ送受信切替部２を介して前記無線通信アンテナ１から無線通信機器１０へ送信する。
【００１６】
以上のように、本実施の形態においては、無線通信の中継器としての機能を実現するが、無線通信アンテナ１の内部に無線通信装置本体１１を組み込んで一体化しているため、設置スペースが狭い場所への設置が可能で無線通信電源５の配線が不要であるために設置が容易となる無線通信装置を供給することができる。
【００１７】
（実施の形態２）
図２は、本発明の実施の形態２における無線通信装置を示すものである。実施の形態１と同一要素については同一符号を付してその説明を省略する。
【００１８】
図に示すように、本実施の形態における無線通信装置は、無線通信電源５に家電量販店などで一般的に売られている電池（例えば、アルカリボタン電池など）を使用した場合、電池電圧が無線通信できない電圧に低下した場合、電池の交換が必要となるため、着脱できるように開閉蓋６を開けることにより、無線通信装置本体１１から電池交換が可能な構成としている。
【００１９】
以上のように、本実施の形態においては、電源電圧が低下しても無線通信電源５の電池を交換することで使用可能となる。
【００２０】
（実施の形態３）
図３、本発明の実施の形態３における無線通信装置を示すものである。実施の形態１と同一要素については同一符号を付してその説明を省略する。
【００２１】
図に示すように、本実施の形態における無線通信装置は、電源電圧検出手段７により、無線通信電源５の供給電圧が所定のレベル以下になったことを検出すると、電源電圧低下を示す表示器８（例えば、LED）を点灯あるいは点滅などを行い、供給電圧の低下を事前に知らせるようにしている。
【００２２】
以上のように、本実施の形態においては、電池電源電圧低下により無線通信ができなくなる前に電池交換を可能とすることができる。
【産業上の利用可能性】
【００２３】
以上のように、本発明にかかる無線通信装置は、無線通信装置が一体化しているので装置の小型化が可能であり、携帯して使用する無線通信機器にも適用できる。
【図面の簡単な説明】
【００２４】
【図１】本発明の実施の形態１における無線通信装置のシステム図
【図２】本発明の実施の形態２における無線通信装置の構成図
【図３】本発明の実施の形態３における無線通信装置の構成図
【符号の説明】
【００２５】
１  無線通信アンテナ
２  無線通信アンテナ送受信切替部
３  無線受信制御部
４  無線送信制御部
５  無線通信電源
６  開閉蓋
７  電源電圧検出手段
８  表示器
【図１】
2006345140.tif 000003
【図２】
2006345140.tif 000004
【図３】
2006345140.tif 000005